(57)【特許請求の範囲】
【請求項１】
筐体の上方に設けられた硬貨投入口と、この硬貨投入口に連結して設けられた硬貨通路と、この硬貨通路側壁に設けられた硬貨識別センサと、この硬貨識別センサに接続された識別回路と、前記硬貨通路上であって前記硬貨識別センサの下流に設けられた硬貨ゲートと、この硬貨ゲートの下流に設けられた硬貨振り分けゲートと、この硬貨振り分けゲートの一方の下流に設けられた第１の硬貨出口と、前記硬貨振り分けゲートの他方の下流に設けられた第２の硬貨出口と、前記硬貨ゲートの下流に設けられた硬貨返却出口と、前記筐体上方の端部に設けられたパチンコ球入口と、このパチンコ球入口に連結して設けられたパチンコ球通路と、このパチンコ球通路上に設けられたパチンコ球計数機と、前記パチンコ球通路の終端に設けられたパチンコ球出口とを備え、前記識別回路からの出力信号に基づいて、前記パチンコ球計数機でパチンコ球を計数して前記パチンコ球出口からパチンコ球を放出するパチンコ球計数機を内蔵した硬貨選別装置において、パチンコ球通路は、前記筐体の側面に設けるとともに、前記パチンコ球計数機は、前記筐体の下方、かつ前記第１の硬貨出口前面側に設けるとともに前記硬貨選別装置から着脱自在とし、前記パチンコ球入口と前記パチンコ球計数機の間の前記パチンコ球通路の壁面にパチンコ球センサを設けた硬貨選別装置。
【請求項２】
硬貨識別装置と、パチンコ球センサによって警告を発する表示装置とを備え、前記硬貨識別装置には請求項１に記載の硬貨識別装置を用いるとともに、パチンコ球がない場合に、前記表示装置で警告を発生させるパチンコ台間機。
【発明の詳細な説明】
【０００１】
【産業上の利用分野】
本発明は、パチンコ台間機等に使用するパチンコ球計数機を内蔵した硬貨選別装置に関するものである。
【０００２】
【従来の技術】
以下、従来のパチンコ台間機について説明する。
【０００３】
従来のパチンコ台間機は、図３に示すように硬貨選別装置１とパチンコ球計数機２は、別々の筐体に設けられていた。
【０００４】
そしてこれらは、パチンコ台間機３内上方から紙幣識別装置４、硬貨選別装置１、パチンコ球計数機２、制御部５、電源６の順に設けられていた。
【０００５】
【発明が解決しようとする課題】
しかしながら、このような従来の構成では、パチンコ台間機３の中に、紙幣識別装置４、硬貨選別装置１、パチンコ球計数機２、制御部５、電源６の５つのユニットで構成されていた。したがってその形状は大きくなり、メンテナンスなどにおいてパチンコ台間機３を引き出すことは、大変なことであった。
【０００６】
そこで本発明は、このような問題点を解決するもので、パチンコ台間機を小型化するために、パチンコ球計数機を内蔵した硬貨選別装置を提供することを目的としたものである。
【０００７】
【課題を解決するための手段】
この目的を達成するために本発明のパチンコ球計数機を内蔵した硬貨選別装置は、筐体の上方に設けられた硬貨投入口と、この硬貨投入口に連結して設けられた硬貨通路と、この硬貨通路側壁に設けられた硬貨識別センサと、この硬貨識別センサに接続された識別回路と、前記硬貨通路上であって前記センサの下流に設けられた硬貨ゲートと、この硬貨ゲートの下流に設けられた硬貨振り分けゲートと、この硬貨振り分けゲートの一方の下流に設けられた第１の硬貨出口と、前記硬貨振り分けゲートの他方の下流に設けられた第２の硬貨出口と、前記硬貨ゲートの下流に設けられた硬貨返却出口と、前記筐体上方の端部に設けられたパチンコ球入口と、このパチンコ球入口に連結して設けられたパチンコ球通路と、このパチンコ球通路上に設けられたパチンコ球計数機と、前記パチンコ球通路の終端に設けられたパチンコ球出口とを備え、前記識別回路からの出力信号に基づいて、前記パチンコ球計数機でパチンコ球を計数して前記パチンコ球出口からパチンコ球を放出するパチンコ球計数機を内蔵した硬貨選別装置において、パチンコ球通路は、前記筐体の側面に設けるとともに、前記パチンコ球計数機は、前記筐体の下方、かつ前記第１の硬貨出口前面側に設けるとともに前記硬貨選別装置から着脱自在とし、前記パチンコ球入口と前記パチンコ球計数機の間の前記パチンコ球通路の壁面にパチンコ球センサを設けた構成としたものである。
【０００８】
【作用】
この構成により、同一筐体内にパチンコ球計数機と、硬貨選別装置を内蔵しているので、小型化が可能となる。
【０００９】
【実施例】
以下本発明の一実施例について図面を参照しながら説明する。
【００１０】
図２は、本発明のパチンコ球計数機を内蔵した硬貨選別装置が内蔵されたパチンコ台間機の平面図を示す。図２において、パチンコ台間機１１内には上方から紙幣識別装置１２、パチンコ球計数機を内蔵した硬貨選別装置１３、電源部１４が順に設けられている。
【００１１】
パチンコ球計数機を内蔵した硬貨選別装置１３は、図１に示すように、筐体１５の上方に設けられた硬貨投入口１６と、この硬貨投入口１６に連結して設けられた硬貨通路１７と、この硬貨通路１７の側壁に設けられた硬貨識別センサ１８と、この硬貨識別センサ１８に接続された識別回路（図示せず）と、前記硬貨通路１７上であって前記硬貨識別センサ１８の下流に設けられた硬貨ゲート１９と、この硬貨ゲート１９の下流に設けられた硬貨振り分けゲート２０と、この硬貨振り分けゲート２０の一方の下流に設けられた第１の硬貨出口２１と、前記硬貨振り分けゲート２０の他方の下流に設けられた第２の硬貨出口２２と、前記硬貨ゲート１９の下流に設けられた硬貨返却出口２３と、前記筐体１５上方の端部に設けられたパチンコ球入口２４と、このパチンコ球入口２４に連結して設けられたパチンコ球通路２５と、このパチンコ球通路２５上に設けられたパチンコ球計数機２６と、前記パチンコ球通路２５の終端に設けられたパチンコ球出口２７とを備えている。
【００１２】
またこのパチンコ球通路２５は、筐体１５側面に設けるとともに、パチンコ球計数機２６は、前記筐体１５の下方に設けられている。また、光電式のパチンコ球センサ２８は、前記、パチンコ球入口２４と、前記パチンコ球計数機２６の間のパチンコ球通路２５の壁面に設けられている。
【００１３】
そして、前記識別回路からの出力信号に基づいて、パチンコ球を前記パチンコ球計数機２６で計数して前記パチンコ球出口２７からパチンコ球を放出する構成としたものである。また、このパチンコ球計数機２６は、どうしてもメカニカル的な動きとなるので、耐久性が低くなることが考えられる。そこで、パチンコ球計数機２６は、筐体１５から着脱自在としている。
【００１４】
以上のように構成されたパチンコ球計数機を内蔵した硬貨選別装置について、以下にその動作を説明する。
【００１５】
硬貨投入口１６には、１００円硬貨または５００円硬貨が投入される。これらの硬貨は、硬貨識別センサ１８で検知され、識別回路により１００円、５００円あるいは、偽貨の認識が行われる。投入された硬貨が偽貨の場合には、硬貨ゲート１９は動作せずに硬貨返却出口２３から放出される。また、投入された硬貨が正貨の場合には、硬貨ゲート１９を通過し、硬貨振り分けゲート２０により振り分けられる。すなわち、５００円硬貨は、第１の硬貨出口２１から放出され、１００円硬貨は、第２の硬貨出口２２から放出される。
【００１６】
一方、パチンコ球は、パチンコ球入口２４から投入され、パチンコ球通路２５を通ってパチンコ球計数機２６で一時保留される。ここで、前記識別回路からの信号により、投入された硬貨が１００円の場合には、２５個のパチンコ球がパチンコ球出口２７から放出される。また、投入された硬貨が５００円の場合には、その５倍の１２５個のパチンコ球がパチンコ球出口２７から放出される。
【００１７】
また、パチンコ球計数機を内蔵した硬貨選別装置１３の筐体１５内に制御部（従来例の制御部５に該当）を設けることにより、紙幣識別装置１２の制御を行っている。このことにより、パチンコ台間機の一層の小型化を図っている。
【００１８】
以上のように、本実施例においては、同一筐体１５内に硬貨選別装置１３と、パチンコ球計数機２６を設けているので、小型化されたパチンコ球計数機を内蔵した硬貨選別装置が実現できる。
【００１９】
また、パチンコ球通路２５は、筐体１５の側面に設けるとともに、パチンコ球計数機２６は、筐体１５の下方の第１の硬貨出口２１の前面側に設けているので、パチンコ球計数機２６の着脱が容易となる。
【００２０】
また、パチンコ球入口２４と、パチンコ球計数機２６の間の、パチンコ球通路２５上にパチンコ球センサ２８を設けているので、パチンコ球が無い場合には、パチンコ台間機の表示装置にて、警告を発することが可能となる。
【００２１】
【発明の効果】
以上のように本発明によるパチンコ球計数機を内蔵した硬貨選別装置は、筐体の上方に設けられた硬貨投入口と、この硬貨投入口に連結して設けられた硬貨通路と、この硬貨通路側壁に設けられた硬貨識別センサと、この硬貨識別センサに接続された識別回路と、前記硬貨通路上であって前記硬貨識別センサの下流に設けられた硬貨ゲートと、この硬貨ゲートの下流に設けられた硬貨振り分けゲートと、この硬貨振り分けゲートの一方の下流に設けられた第１の硬貨出口と、前記硬貨振り分けゲートの他方の下流に設けられた第２の硬貨出口と、前記硬貨ゲートの下流に設けられた返却出口と、前記筐体上方の端部に設けられたパチンコ球入口と、このパチンコ球入口に連結して設けられたパチンコ球通路と、このパチンコ球通路上に設けられたパチンコ球計数機と、前記パチンコ球通路の終端に設けられたパチンコ球出口とを備え、前記識別回路からの出力信号に基づいて、前記パチンコ球計数機でパチンコ球を計数して前記パチンコ球出口からパチンコ球を放出するパチンコ球計数機を内蔵した硬貨選別装置において、パチンコ球通路は、前記筐体の側面に設けるとともに、前記パチンコ球計数機は、前記筐体の下方、かつ前記第１の硬貨出口前面側に設けるとともに前記硬貨選別装置から着脱自在とし、前記パチンコ球入口と前記パチンコ球計数機の間の前記パチンコ球通路の壁面にパチンコ球センサを設けた構成とすることで、同一筐体内にパチンコ球計数機と硬貨選別装置を内蔵させ小型化を実現している。
また、耐久性の低いパチンコ計数機を容易に脱着することができる。
【図面の簡単な説明】
【図１】本発明の一実施例におけるパチンコ球計数機を内蔵した硬貨選別装置の平面図
【図２】本発明の一実施例におけるパチンコ球計数機を内蔵した硬貨選別装置が取り付けられたパチンコ台間機の平面図
【図３】従来例におけるパチンコ台間機の平面図
【符号の説明】
１５  筐体
１６  硬貨投入口
１７  硬貨通路
１８  硬貨識別センサ
１９  硬貨ゲート
２０  硬貨振り分けゲート
２１  第１の硬貨出口
２２  第２の硬貨出口
２３  硬貨返却出口
２４  パチンコ球入口
２５  パチンコ球通路
２６  パチンコ球計数機
２７  パチンコ球出口
【図１】
0003708172.tif 000002
【図２】
0003708172.tif 000003
【図３】
0003708172.tif 000004